Podtech/llm-jp-corpus-v4-ja_patent huggingface dataset:
(57)【要約】【課題】店舗などの営業用エアコン室外機１は、吹出し口３を道路側に向けて設置されているものが多く、この吹出し口から直接に放出している熱気を遮断すると共に騒音を低減する。【解決手段】  室外機の吹出し口３に対面する垂直正面板５と、この上下に連接する傾斜上面板６及び傾斜底面板７の内面に夫々吸音材Ｆが貼着されると共に各面板の両側部にウイング片５Ａ，６Ａ・・・７Ｂが突設され、両側面には通気多孔板１５，１６を固定して前記ウイング片を側面側に折り曲げて構成され、上面板及び底面板に連設した取付フランジ１０，１１を室外機の前面板２に取付け固定する。【選択図】  図１
0003121094.tif 000002
【実用新案登録請求の範囲】
【請求項１】
室外機の吹出し口に対面する垂直正面板と、この上下に連接する傾斜上面板及び傾斜底面板の内面に夫々吸音材が貼着されると共に前記各面板の両側部に側面方向に折り曲げられたウイング片と前記上面板及び底面板に連設した取付フランジと、両側面を覆う通気多孔板からなる消音フード。
【請求項２】
傾斜上面板と傾斜底面板が縁部を介して夫々の取付フランジに連接する請求項１記載の消音フード。
【請求項３】
傾斜底面板又は傾斜底面板に連接する縁部に水抜き孔が貫設されてなる請求項１又は２記載の消音フード。
【考案の詳細な説明】
【技術分野】
【０００１】
この考案は、エアコン室外機などの正面又は側面に開口された排気吹出し口に取付ける消音フードに関する。
【背景技術】
【０００２】
エアコン室外機は、ファンの風きり音とコンプレッサーの回転音を同時に発生するので大きな騒音源となる。    この騒音を低減させるため、室外機の３面を防音パネルで囲む消音装置が提案されている（特許文献１）が、この消音装置は屋上などに設置した比較的大型の室外機を対象とするもので騒音防止の他、排気熱風のショートサーキットの防止を目的とするものであって建物の外壁面に隣接して設置する室外機には利用できない。
【０００３】
最近のエアコン室外機は、小型化されているが発生騒音は低減されてなく、店舗などの室外機の多くは吹出し口を道路側に向けて設置されて、熱気や騒音を直接放出している。
これを抑制するためのフードも提案されているが、大型の割りには消音効果が小さくて不十分である。
【０００４】
【特許文献１】特許第3389109号公報
【考案の開示】
【考案が解決しようとする課題】
【０００５】
本案は、既設の室外機にも簡単に取付けられ、軽量で廉価な騒音消音フードを提供するものである。
【課題を解決するための手段】
【０００６】
本案消音フードは、室外機の吹出し口に対面する垂直正面板と、この上下に連接する傾斜上面板及び傾斜底面板の内面に夫々吸音材が貼着され、各面板の両側部にウイング片が突設されると共に両側面に通気多孔板を固定して前記ウイング片を側面側に折り曲げて構成され、前記上面板及び底面板に連設した取付フランジを室外機の前面板に取付け固定するものである。
また、傾斜上面板と傾斜底面板に連接した各取付フランジとの間にほぼ水平な縁部を連設し、更に、傾斜底面板又は傾斜底面板に連接する縁部に水抜き孔を貫設してなるものである。      上面板と底面板の正面板に対する傾斜角及びウイング片の折曲げ角は、３０°〜６０°であって４５°とするのが製作上、都合がよい他、強度その他の性能も優れている。
吸音材は、板厚１０ｍｍ〜２５ｍｍの合成樹脂発泡板又はガラスウールなどの市販品である。
【考案の効果】
【０００７】
本案において垂直正面板、傾斜上面板及び傾斜底面板と取付フランジは、１枚の板材から打ち抜いて形成されるものであるから製作が容易で組立ても簡単にできる。
また、全体の重量が軽量で既設の室外機にも簡単に取付けることができる。
更に、水抜き孔によってフード内に雨水が滞留する恐れがない上、正面板によって通行人の安全が図れる。
【考案を実施するための最良の形態】
【０００８】
図中、１は室外機、２は、吹出し口３が開口している前面板である。  ４は本案消音フードであって、５は垂直正面板、６は傾斜上面板、７は傾斜底面板、8，9は縁部、10，11は取付けフランジである。
上記各面板の両側部にはウイング片５Ａ，５Ｂ、６Ａ，６Ｂ、及び７Ａ、７Ｂが連接して突設されている。      而して、フランジ10、11及び各ウイング片を含む各板部は一枚の板材（厚さ０.８ｍｍ〜１.０ｍｍ）を打抜いて形成され、前記各面板と縁部の内面には吸音材Ｆを貼着する。
12、13はフランジに穿孔された取付孔、14は吸音材Ｆを貫通して設けた複数の水抜き孔である。
各面板５，6，7と夫々のウイング片は、所定の角度で折曲げ加工されると共に両側面部に多孔板15、16がネジ止めされて本案フードが完成する。
多孔板は、開口率７０％程度のものがよく、吸音材は、厚さ10ｍｍ〜25ｍｍの市販品で充分な効果が得られる。
【０００９】
本案品は、各面板内面に貼付された吸音材Ｆによって吹出し口から出る風切音やコンピレッサーの回転音を吸音する他、両側板に向けて所定角度（30°〜60°）で折り曲げられたウイング片が吹出し案内と放散音抑制板を兼ねるので外部への放散音を効果的に低減できる。
また、本案品は軽量であるから特別の支持手段を要せずに直接、室外機の前面板に固定でき、防雪フードや防護ネットの機能を併有する。
【実施例】
【００１０】
吸音材Ｆとして厚さ２０ｍｍの「カームフレックス（商品名）」を使用し、正面板の面積５４０ｍｍ×３２．５ｍｍ、各傾斜面板６，７の傾斜角及びウイング片（長さ５０ｍｍ）の折曲げ角を夫々４５°とすると共に正面板までの深さを２５０ｍｍとした消音フード４を製作した。
この消音フードを雑音レベル８０ｄＢの室外機に取付け、図６のような無響室（９００ｍｍ×１８００ｍｍ）Ｍ内に収容してＡ点（正面板からの距離２５０ｍｍ，地上高さ１３００ｍｍ）における騒音値を測定したところ７４.２ｄＢであって、約６ｄＢの消音効果が得られた。
また、吸音材を板厚２５ｍｍの「ガラスウール板」に替えて同様に実験したところ約４.５ｄＢの減衰であった。
【図面の簡単な説明】
【００１１】
【図１】取付け状態の全体斜視図
【図２】本案消音フードの斜視図
【図３】消音フードの縦断側面図
【図４】同横断平面図
【図５】板部の内面展開図
【図６】消音効果測定実験の平面図
【符号の説明】
【００１２】
４  消音フード
５  垂直正面板
６  傾斜上面板
７  傾斜底面板
Ｆ  吸音材
５Ａ、５Ｂ、６Ａ，６Ｂ、７Ａ、７Ｂ  折り曲げウイング
８、９  縁部
１０、１１  取付けフランジ
１４  水抜き孔
【図１】
0003121094.tif 000003
【図２】
0003121094.tif 000004
【図３】
0003121094.tif 000005
【図４】
0003121094.tif 000006
【図５】
0003121094.tif 000007
【図６】
0003121094.tif 000008
(57)【要約】      （修正有）【課題】自転車に掛けるカバーが、全体を覆う形なので、かけにくい事や、使い終わった後の手入れのしにくい事の不都合を解消する。【解決手段】防水シートカバ３ーを保持する前側の基軸棒１と、後側の引き棒２が設けられ、さらに、基軸棒１を固定する為の小物挟み５と、引き棒２を止める紐６を備えた自転車用伸縮カバー。【選択図】図１
0003121051.tif 000002
【実用新案登録請求の範囲】
【請求項１】
棒を、防水シートの両端に取付けて、前輪側を基軸棒として固定に用い、後輪側を、シートを引出して掛けたり、巻き戻して収納したりする引き棒として伸縮に用いて、僅かな動作で、簡単で、素早くできる構造の自転車に掛けるカバーである。
【考案の詳細な説明】
【技術分野】
【０００１】本考案は、自転車に使用するカバーに関する。
【背景技術】
【０００２】従来のカバーでは、自転車全体を覆う形に作られている。
【考案の開示】
【考案が解決しようとする課題】
【０００３】然しこれでは、被せたり、外したりするのに場所もとり、時間もかかるので、狭い場所での取扱いは面倒になる。更に、手入れ、干し方、畳み方も不便である。
【課題を解決するための手段】
【０００４】そこで、前側の基軸棒の紐先に小物挟みを付けて、タイヤに挟んで固定し、後側の防水シートカバーに巻かれた引き棒を後方に引けば、シートカバーが回転して自転車の上に掛かるように考案した（図１）。この自転車用伸縮カバーにより、狭い場所でも、楽に早く掛けられるほか、使用後の手入れ全般にわたり改善した。
【考案の効果】
【０００５】よって、本考案の自転車伸縮カバーにより、自転車にカバーを掛けたり、外したりするときに、狭い場所でも取扱いが、しやすくなった。風を遮らない形に変えたので横風受けても、自転車の間を通り抜けて行き、倒れにくくもなった。強い風には、左右のカバーの紐を下で結んでおけば、風や雪対策にも有効です。普段は、面倒なのでそのまま垂らしておきます。使用後の手入れもいたって簡単になり、干すときは、竿などに吊るするだけです。何よりも、秒単位で取扱える。
【考案を実施するための最良の形態】
【０００６】本考案に係る自転車用伸縮カバー（図１）は、図１が示すように、防水シートカバー３を支える基軸棒１と、伸縮をさせる引き棒２が取付けてある。そして、基軸棒１には、引張りに耐えられるように、紐４の先端に小物挟み５がついていて、タイヤに挟んで外れぬように固定している。ついで、引き棒２で後方に引くと、カバー３が伸びて自転車の上部を、順次覆うっていく、一杯に引いてから、引き棒２を紐６で下部の適当なところに結ぶ。
なお、使い易くするためには、軽量材で加工し易いのが最適である。その他基軸棒１は細く（約１ｃｍ）、引き棒２は太く（約２ｃｍ）、カバー３の幅はハンドル幅を基準（長さ）とする。
【図面の簡単な説明】
【０００７】
【図１】伸縮カバー表側全部を広げた俯瞰図である。
【図２】伸縮カバーを巻き戻し途中の俯瞰図である。
【図３】伸縮かばーを巻き戻して基軸棒の紐で縛って挟んだ俯瞰図である。
【図４】伸縮カバーを自転車に掛け終わった側面図である。
【符号の説明】
【０００８】  １  基軸棒
２  引き棒
３  防水シートカバー
４  基軸棒の紐
５  紐先の小物挟み
６  引き棒の紐
７  ハンドル左側結わえ紐
８  ハンドル右側結わえ紐
９  サドル付近にある腹締め紐
１０  サドル付近にある腹締め紐
【図１】
0003121051.tif 000003
【図２】
0003121051.tif 000004
【図３】
0003121051.tif 000005
【図４】
0003121051.tif 000006
(57)【要約】【課題】  使用環境が水中若しくは水飛沫を頻繁に浴びる苛酷な状況で、使用回数、経年使用を重ねても、破損や故障が無く、携帯に便利で、水泳や水中歩きの距離を確実に確認できる。【解決手段】  円盤状に形成された複数個の珠１を一本の防錆表面を持つ、又は防錆素材からなる棒２に通して構成し、それをプールサイドのスタート側に配置し、水泳等にてプールを往復する度に手動で珠１を棒２上にて移動させることで、往復回数とそれに応じた距離を確認する。【選択図】図１
0003121639.tif 000002
【実用新案登録請求の範囲】
【請求項１】
プールサイドのスタート側に配置し、プールを往復する回数とそれに応じた距離を表示する水泳距離確認器であって、プールを往復する度に手動で移動させる円盤状または球状の複数個の珠と、当該複数個の珠を通した防錆表面を持つ又は防錆素材からなる一本の棒とを具えてなる水泳距離確認器。
【請求項２】
前記棒には、ネームプレートが設けてある請求項１記載の水泳距離確認器。
【請求項３】
前記棒には、吸盤が設けてある請求項１又は２に記載の水泳距離確認器。
【考案の詳細な説明】
【技術分野】
【０００１】本考案は、プールにおいて水泳や水中歩行をしている時に、自分が泳いだり歩いたりした距離を確認することができる水泳距離確認器に関するものである。
【背景技術】
【０００２】  従来から健康維持、体力増進、ストレス解消等のために水泳をしたり、最近では水中ウォークを手軽な生涯スポーツとして継続する人は多い。しかし、自分がプールを何往復したか、すなわち、何メートル泳いだか、歩いたかはもっぱら自らの記憶に頼るしかなかった。これらを解決したものとして、「泳いだ距離を記録する装置」がある（例えば文献１参照）。
また、もっと手軽で、簡便なものとして、表示面が磁石で吸着するように形成され、移動指標部材として表面を着色した磁石ボタンを使用した「水泳距離確認板」がある。（例えば文献２参照）。【０００３】
【特許文献１】  特開平７−２８７７４３号公報
【特許文献２】  特開平５−１７７０２６号公報
【考案の開示】
【考案が解決しようとする課題】
【０００４】  しかしながら、前者の「泳いだ距離を記録する装置」は構造が複雑で、かつ精密であるため、使用環境が水中若しくは水飛沫が頻繁に浴びる苛酷な状況下で、使用回数、経年使用を重ねる程、破損や故障の可能性が高くなるという問題があった。
また、後者の「水泳距離確認板」は、磁石を板上の枠外に移動させ過ぎたり、磁石そのものを紛失して使用ができなくなるという問題があった。【０００５】  本考案は以上のような従来技術の問題点に鑑み成されたもので、構造が単純・簡素で、錆びる心配が無く、また破損や故障の心配の無い水泳距離確認器を提供することを目的とする。
【課題を解決するための手段】
【０００６】  本考案は、プールサイドのスタート側に配置し、プールを往復する回数とそれに応じた距離を表示する水泳距離確認器であって、プールを往復する度に手動で移動させる円盤状または球状の複数個の珠と、当該複数個の珠を通した防錆表面を持つ又は防錆素材からなる一本の棒とを具えてなることを第一の特徴とする。【０００７】  また、前記棒には、ネームプレートが設けてあることを第二の特徴とする。【０００８】  さらに、前記棒には、吸盤が設けてあることを第三の特徴とする。
【考案の効果】
【０００９】  以上説明したように、本考案を使用すると以下の効果が得られる。
（１）構造が単純・簡素で素材も水に強く錆びないため、破損や故障の心配が無く、長く使用することができる。
（２）珠が通されている棒にネームプレートが取り付けてあると、紛失や盗難の予防になる他、プール内の１つのコースを複数人が使用中に、自他の区別がはっきりと判るため、他人のものを使用するという誤用を防止することができる。
（３）珠が通されている棒に吸盤が設けてあると、プールの壁面に横方向や縦方向に適宜固定することができるため、平面部に配置しておくより、すぐに珠を動かすことができ、効率が良くなる。
（４）コンパクトに形成すると、水泳用のキャップの中に入れて持ち運びができ、携帯に便利である。
【考案を実施するための最良の形態】
【００１０】  以下、本考案の実施形態について、図１〜図３に基づいて説明する。図１は本考案の第一の実施形態を示す立面図である。図２は本考案の第二の実施形態を示す立面図である。図３は本考案の第三の実施形態を示す立面図である。【００１１】  図１において、１は円盤状に形成された発泡スチロール製の珠である。本実施形態では１０個設けられているが、適宜複数個設けてあれば良く、１０個に限定されない。また、珠は発泡スチロール製に限定されず、他のプラスチックや木製でも良い。本実施形態では珠は円盤状に形成されているが、これに限定されず球状のものでも良い。一個の珠の目安距離を色分けして決めたり、場合によっては、脱着容易のテープ等に単位距離を書いて珠に貼り付けたりして利用すれば、水泳または水中歩行距離の確認がさらに容易となる。【００１２】  ２は珠１を通しているステンレス製の棒であり、両端部は珠１が抜けないようにストッパー部３が設けられている。棒２の材質はステンレス製に限定されず、表面がメッキ等により防錆処理された金属棒やプラスチック製棒でも良い。棒２が水に浸ったり、水がかかっても錆びることが無いため、長期に亘って使用できる。珠１は棒２に、手で動かす時に動き、それ以外は自動的には移動しない程度にややきつく嵌合されていることが好ましい。【００１３】  図２は上記第一実施形態の棒２の一端にネームプレート４が回動自在に装着されている水泳距離確認器を示したものである。ネームプレート４を取り付けることにより、紛失や盗難の予防になるほか、プール内の１つのコースを複数人で使用中に、自他の区別がはっきりと判るため、他人のものを使用するという誤用を防止することができる。【００１４】  図３は図２における棒２の他端部に吸盤５が回動自在に装着されている水泳距離確認器を示したものである。吸盤５は棒２の両端部に回動自在に装着されても良い。プールの壁面に横方向や縦方向に適宜固定することができ、平面部に吸盤５なしで配置されている場合より、すぐに珠を動かすことができ、効率が良くなる。更に平面部に配置する時も吸盤４で固定しておけば、珠２の転がりによる移動が防止される。【００１５】  棒２や珠１の大きさは特に限定されないが、珠１は厚さ１ｃｍ直径２ｃｍ、棒２は長さ１５ｃｍ直径０．３ｃｍの寸法にするとコンパクトになり、持ち運びに便利である。【００１６】  本考案の水泳距離確認器は水泳や水中歩きをする者が、プールを往復する度に手動で円盤状の珠を一個ずつ左右どちらかに移動させ、この動作を繰り返し、移動させた珠の数を数えることで、水泳や水中を歩いた距離が確認できる。
【図面の簡単な説明】
【００１７】
【図１】本考案に係る水泳距離確認器の第一実施形態を示す立面図である。
【図２】本考案に係る水泳距離確認器の第二実施形態を示す立面図である。
【図３】本考案に係る水泳距離確認器の第三実施形態を示す立面図である。
【符号の説明】
【００１８】  １…珠
２…棒
３…ストッパー部
４…ネームプレート
５…吸盤
【図１】
0003121639.tif 000003
【図２】
0003121639.tif 000004
【図３】
0003121639.tif 000005
(57)【要約】      （修正有）【課題】磁石の反発力を回転エネルギーそして回転エネルギーを電気エネルギーに変換する。【解決手段】強力磁石の特性（反発力）を最大限に活用。円盤（１）の平面上方部分に磁石４個を円盤軸中心に配置して固定する。円盤（２）、円盤（３）、円盤（４）も円盤（１）と同様に磁石を固定する。それぞれの円盤下方に図２のように歯車を付ける。円盤を取り付ける前に４つの円盤が回転しないように固定をしてから円盤の歯車にチェーンを４つの歯車と連結し、次に磁石を各歯車に決められた位置に固定する。最後に安全を確認して円盤の固定を解く。【選択図】図１
0003121636.tif 000002
【実用新案登録請求の範囲】
【請求項１】
レコード盤の形をした少なくとも４個の、磁石が作用しない円盤のそれぞれの平らな所に、中心角９０度間隔で磁石を固定し、各円盤をそれぞれの中心軸に歯車を付けてチェーンで連結し同じ方向に回転するように構成し、磁石の反発力で円盤を回転させてエネルギーを生み出す磁石反発エネルギー装置。
【考案の詳細な説明】
【技術分野】
【０００１】  本考案は、磁石反発力のエネルギーを効率よく取り出す磁石反発エネルギー装置です。
【背景技術】
【０００２】  従来の磁石を使用したこのような形、連結により磁石の特性を生かした装置はありません。
【考案の開示】
【考案が解決しようとする課題】
【０００３】  磁石の特性として、Ｎ極とＳ極は引き合い、同じ極は反発します。近ければ近いほど磁石の特性が強くなります。その特性を上手く取り出すことが出来ます。
【課題を解決するための手段】
【０００４】  円盤の形の平面図状に、図１の場所に磁石を固定する事で磁石の特性を強くすることが出来ます。図２の磁石を固定した、４つの円盤の下方に有る歯車を連結する事により、４つの円盤は同じ向きで同じ速さで回転しいつまでも最良な反発力が得られます。
【考案の効果】
【０００５】  磁石反発エネルギー装置は、歯車とチェーンの摩擦、ベアリングと円盤のアルミと磁石の重さの摩擦と課題はありますが、磁石ならびに回転を促すベアリング、または機器も高性能に成り、解決出来るものと確信しております。
【考案の実施するための最良の形態】
【０００６】  図１は、本考案の磁石反発エネルギー装置の平面図であります。
強力磁石の特性を（反発力）最大限に活用。図１のように、円盤（１）の平面上方部分に磁石４個を円盤軸中心に配置して固定する。円盤（２）、円盤（３）、円盤（４）も円盤（１）と同様に磁石を固定する。それぞれの円盤の下方に、図２のように歯車を付ける。図１の円盤を取り付ける前に４つの円盤が回転しないように固定をしてから円盤の歯車にチェーンを４つの歯車と連結し、次に磁石を各歯車に決められた位置に固定する。
最後に安全を確認して円盤の固定を解く。（図１の磁石の位置で各円盤の歯車を連結する事によって円盤が回転しても磁石は同じ位置で反発して強い力を得る。）
【図面の簡単な説明】
【図１】実施例の磁石反発エネルギー装置の平面図
【図２】実施例の磁石反発エネルギー装置の断面図
【符号の説明】
１〜４  円盤
【図１】
0003121636.tif 000003
【図２】
0003121636.tif 000004
(57)【要約】      （修正有）【課題】より簡単な方法で、安価に作成でき、寿命も長いチャンネル文字を提供する。【解決手段】金属板の長手方向と平行に、板の端から内部に同じ幅で２本の折り曲げ線を記入する。これを板の両端に同じように設け、より内部に設けた線の処で板をほぼ１８０度折り曲げる。更に、もう一つ設けてある折り曲げ線に沿ってほぼ９０度に折り曲げる。この折り曲げによりチャンネル文字の外板部の内側に照明部材及び光拡散部材を設置できる棚部を設け、チャンネル文字の形状を作製のために、必要な箇所にＶ字型の切り込みを入れる。ついで、別途チャンネル文字外板部の内面に収納可能な形で用意し、照明用のＬＥＤを設置済みの照明部材を外板部内の下側の棚部に設置し、上側の棚部上に、これまたチャンネル文字外板部内面に収納可能な形で用意した光拡散板を２枚設置する。最後に、全体がしっかりと固定された状態にして、光拡散板の周辺部を外板部に接着固着させる。【選択図】図４
0003121638.tif 000002
【実用新案登録請求の範囲】
【請求項１】
１枚の金属板を折り曲げ加工してチャンネル文字の外板部とし、その内部に設ける照明部材及び光拡散部材が外板部の先端より内側にて受けられるように棚部を設けた外板部を作製し、その下側の棚部にＬＥＤを設置した照明部を設置し、更に上側の棚部に２枚の光拡散板を設けたことを特徴とするＬＥＤを照明源とするチャンネル文字
【考案の詳細な説明】
【技術分野】
【０００１】  本考案は、広告・宣伝用の看板、案内看板、案内灯、表示灯等として使用できるＬＥＤを照明源とするチャンネル文字に関するものである。
【背景技術】
【０００２】  文字、図形、模様等の形状をしたチャンネル文字は従来から各種知られている。従来のチャンネル文字の多くは照明源としてネオン放電管を用いるものである。ネオン放電管では、１．５万ボルトといった高電圧が必要なため取扱に注意が必要であり、寿命も短くこまめな交換作業が必要であった。このような事情を考えて、照明源としてＬＥＤを用いるものが開示されている。（特許文献１参照。）
しかしながら、チャンネル文字の作成方法が金属板をその断面がコの字型になるように加工した外板部を作成後、その底面にＬＥＤ照明部材を設け、その上面部に光拡散部材を設ける方法で作成しているので、チャンネル文字を作成する場合にはボルトを使用して固定する作業が必要であり、大変手間が掛かると同時に費用も嵩むという問題を有していた。
【特許文献１】公開特許２００５−２６６６７７号公報
【考案の開示】
【考案が解決しようとする課題】
【０００３】  本考案は、上記のような現状を解決し、より簡単な方法で、安価に作成でき、寿命も長いチャンネル文字を提供することを課題としている。
【課題を解決するための手段】
【０００４】  まず、１枚の長方形の金属板を準備します。この板の長手方向と平行に、板の端から内部に同じ幅で２本の折り曲げ線を記入します。これを板の両側に同じように設けます（図１）。次に、より内部に設けた線の処で板をほぼ１８０度折り曲げます。両側で同じ作業を実施します。更に、もう一つ設けてある折り曲げ線に沿ってほぼ９０度に折り曲げます。この折り曲げによりチャンネル文字の外板部の内側に照明部材及び光拡散部材を設置できる棚部を設けることができます（図２）。次に、チャンネル文字の形状を作成できるように、必要な箇所にＶ字型の切り込みを入れます。その切り込み部分で金属板を適度な角度に折り込む作業を実施する操作を繰り返すことにより、ある文字や図形などを形成することができます。ついで、外板部の下の棚部に、別途チャンネル文字外板部の内面に収納可能な形で用意し、照明用のＬＥＤを設置済みの照明部材を設置します。次に、外板部の上棚板に、これまたチャンネル文字外板部内面に収納可能な形で用意した光拡散板を２枚設置します。最後に、全体がしっかりと固定された状態にして、光拡散板の周辺部を外板部に接着固着します。
【考案の効果】
【０００５】  １枚の板だけでチャンネル文字外板部を作成できるので、従来の方法よりも簡単な方法で作成ができ、その分コスト低減も可能となる。作成時間も短縮できるし、それほど熟練していない作業者にも作成が可能となる。光拡散板を２枚使用したことにより視認角が広がり、より遠くからも認識できるチャンネル文字を提供できる。
【考案を実施するための最良の形態】
【０００６】  Ａというチャンネル文字形成を例に取り、本考案の内容を図面に従って説明する。図１は１枚の金属板にこれから加工するための折り込み線や切り込み線を記入した状態を示している。図２はその長手方向に折り曲げた後の外板部の断面の形状を示したものであり、２が光拡散部材を受ける棚部であり、３がＬＥＤ照明部材を受ける棚部である。図３は、切り込み部を基点にして折り曲げ加工して得られた外部板４に、照明部材９及び光拡散部材６及び７を示したものである。図４はチャンネル文字の完成した全体図を示した。
【図面の簡単な説明】
【０００７】
【図１】  加工用の線を記入したチャンネル文字外板部形成用金属板
【図２】  最初の加工後の外板部の断面形状図
【図３】  チャンネル文字形成に必要な部材を示した図
【図４】  一部完成並びに断面形状図
【図５】  完成後のチャンネル文字全体図
【符号の説明】
【０００８】    １        チャンネル文字外板
２        上部二次折り曲げ線
３        上部一次折り曲げ線
４        上部文字形成用ノッチング
５        下部二次折り曲げ線
６        下部一次折り曲げ線
７        下部文字形成用ノッチング
８        外板部上部棚受け部
９        形成した外板部
１０      外板部下部棚受け部
１１      透過光拡散材
１２      透過板
１３      上部棚受け部
１４      チャンネル文字形成外板部
１５      下部棚受け部
１６      照明用発光ダイオード
１７      ＬＥＤを設置した照明部材
【図１】
0003121638.tif 000003
【図２】
0003121638.tif 000004
【図３】
0003121638.tif 000005
【図４】
0003121638.tif 000006
【図５】
0003121638.tif 000007
(57)【要約】【課題】  本案ははがき等の片側側面を粘着面に接着させて整理収納しようという考案であるが当座使わない部分の粘着力が弱まらないようにしてある。【解決手段】  はがき側面を接着させる部分だけ使用できるように、粘着面上面に張り付けた剥離紙に細く切れ目を入れ、この剥離紙が一枚ずつ剥がしやすいようにしてあることにより一冊の本のように収納出来、逆さまにしても落ちて散らばることもなくなった。【選択図】図３
0003121640.tif 000002
【実用新案登録請求の範囲】
【請求項１】
台紙の上に粘着面を設け  その上に細かく切れ目を入れた剥離紙を張り付け  その剥離紙の片方は粘着面より長くした粘着式整理ファイル
【考案の詳細な説明】
【技術分野】
【０００１】  本案ははがき等の片側側面を粘着面に接着させて整理収納しようという考案である。
【背景技術】
【０００２】  従来のはがきアルバムだと逆さになったとき落ちてしまう問題点があった。
粘着方式というのは無かったが、試作してみて、当座使わない部分の粘着力が弱まるという問題点があった。
【考案の開示】
【考案が解決しょうとする課題】
【０００３】  余分な手間と材料を使わず、安価に同等の効果のあるものを作り出す、
はがき等の側面は細く一枚当りわずかなスペースでよく一気に全面使わない場合その部使用してない部分の粘着力が弱まらないようにする。
【課題を解決するための手段】
【０００４】  はがき側面を接着させる部分だけ使用できるように、粘着面上面に張り付けた剥離紙に細く切れ目を入れ、この剥離紙が一枚ずつ剥がしやすいように剥離紙は粘着面より片側だけ長くする、この粘着部底面を台紙に接着させることにより問題を解決している。
【考案の効果】
【０００５】  利用方法ははがきに限らず名刺や封筒いろいろあるが一冊の本のように収納出来、
見たい時に透明フイルムごしではなく直接的に確認出来、剥がしたい時にはその一枚だけ引き出すことも出来る、逆さまにしても落ちて散らばることもなくなった。
【考案を実施するための最良の形態】
【０００６】  以下、添付図面に従って一実施例を説明する。（１）はカバー兼台紙、（２）は粘着部  （１）の内側中央に接着させる、（３）は剥離紙  粘着部（２）の上面に張り付ける、（４）は切れ目  （３）に縦に細く多数の切れ目（４）を入れる、（５）はめくり部  剥離紙（３）は粘着部（２）より片側を長くする、その部分、（６）ははがき等の整理対象物。
【実施例】
【０００７】  本案を使用する時は、めくり部一番端一枚を持ち  その剥離紙を切れ目（４）に沿って剥がし、台紙（１）の内側面と  はがきの面を合わせスライドさせて  はがきの側面と接着部（２）を接着させる、その上に同じ事を繰り返してファイルしていく、またはがきを剥がしたいときは、その一枚だけ引き剥がせばよく  そのはがきを再び同じところに差し込めば接着させることも出来る。
【産業上の利用可能性】
【図面の簡単な説明】
【図１】  本考案の粘着式整理ファイルの実施例を示す斜視図である。
【図２】  本考案図４のＡ−Ａ断面図である。
【図３】  本考案の使用例を示す側面図である。
【図４】  本考案の平面図である。
【符号の説明】
【０００８】（１）カバー兼台紙
（２）粘着部
（３）剥離紙
（４）切れ目
（５）めくり部
（６）整理対象物
【図１】
0003121640.tif 000003
【図２】
0003121640.tif 000004
【図３】
0003121640.tif 000005
【図４】
0003121640.tif 000006
(57)【要約】【課題】原動機付き自転車に、容易に着脱可能な荷台を側面に装着することにより、多く、軽量な荷物を積載するシステムを開発することにある。【解決手段】原動き付き自転車において、既存のシート後方荷台に強度を確保できる素材の棒を接続し、さらに接続棒にて荷台をぶら下げるように吊るし、足置き場でボルトで簡単に設置できることを特徴とする原動機付き自転車の軽量荷物用側面荷台システム【選択図】図１
0003121664.tif 000002
【実用新案登録請求の範囲】
【請求項１】
原動機付き自転車の荷台に自在に着脱する取付構造であって、少なくとも１つの連結手段を有して、側面荷台を固定することを特徴とする原動機付き自転車の側面荷台取付構造。
【請求項２】
容易に折りたたみ可能な請求項１に記載した原動機付き自転車の側面荷台
【考案の詳細な説明】
【技術分野】
【０００１】  この考案は、原動機付き自転車の荷台に取付ける側面荷台を簡単に着脱できる取付構造及び装置に関するものである。
【背景技術】
【０００２】  従来、原動機付き自転車の荷台はシート後方にあり、多くの荷物又は大きな荷物を運ぶには制限があり、足を置く場所に置いたりして運んだり、ヘルメットを入れる場所に小さな荷物限定で運んできたのが実情である。
【考案の開示】
【考案が解決しようとする課題】
【０００３】  しかしながら、以上の技術によれば、ある程度小さいものであれば十分であるが、一般に大きめの荷物は運ぶには危険でバランスも悪いのが現実である。
そこでこの考案は手軽に着脱可能でかつ安価な材料及び構造で原動機付き自転車における多い荷物及び大きい荷物を積載する側面荷台を提供することを課題とする。
【課題を解決するための手段】
【０００４】  そこで本考案は、これらの課題を解決するために種々の検討を行った結果、原動機付き自転車の側面に荷台を設け、現状の荷台を利用して簡単に着脱ができることを特徴とする原動機付き自転車用の軽量荷物用側面荷台システムである。
【考案の効果】
【０００５】  本考案の原動機付き自転車用の軽量荷物用側面荷台システムは、軽量の荷物を積載することが可能で、積載量も多い。また、荷物がない時には折りたたむことができ通常時とほぼ変わらない幅になる。さらに既存の荷台に棒を取り付け、既存のボルト穴にそのままボルトで荷台を固定できるので、簡易に装着で簡単に装着及び取り外しができ、有用である。【０００６】  このように本考案は多量で軽量の荷物を原動機付き自転車で手軽に運べる長所を有し、かつ構造及び材料が安価に提供できる実用上有効な考案である。
【考案を実施するための最良の形態】
【０００７】本考案の原動機付き自転車用の軽量荷物用側面荷台システムの斜視図を図１に示す。さらに、側面図を図２、上面図を図３、後方図を図４及び荷台拡大図を図５に示す。【０００８】本考案の荷台は交通法規を遵守するものでなければならず、荷台棒１及び荷台３の幅Ｗは原動機付き自転車の両側部からの突出部は０．１５ｍ以下でなければならない。また荷台３の積載量は３０ｋｇ以下でなければならない。
【実施例】
【０００９】
【００１０】以下に本考案を実施するための態様を図面に基づいて説明する。原動機付き自転車４において、既製の荷台棒１を取り付け、接続棒２によって荷台３をぶら下げるように装着し、足置き場でさらに６ｍｍボルト穴５を開けて６ｍｍボルトで既存の原動機付き自転車のボディに簡単に止めることを特徴とする原動機付き自転車側面荷台システムである。尚、図５の拡大図で示す接続ピン６が荷台３に付けられているので、荷台は特に必要のない場合は簡単に折りたたみが可能である。また荷台棒１と接続棒２の接続部分は左右スライド可能であり、接続棒２と荷台３の接続部分は上下スライド可能である。【０００１１】「他の実施形態」
材質は基本的に金属であるが、他の実施形態では、強度がある程度確保できる材質であればどれでも良い。
【図面の簡単な説明】
【００１２】
【図１】本考案の一実施形態を示す斜視図である。
【図２】本考案の一実施形態を示す側面図である。
【図３】本考案の一実施形態を示す上面図である。
【図４】本考案の一実施形態を示す後方図である。
【図５】本考案の一実施形態を示す荷台拡大図である。
【符号の説明】
【００１３】      １  荷台棒
２  接続棒
３  荷台
４  原動機付き自転車
５  ６ｍｍボルト穴
６  接続ピン
Ｗ  アルミ角パイプ
【図１】
0003121664.tif 000003
【図２】
0003121664.tif 000004
【図３】
0003121664.tif 000005
【図４】
0003121664.tif 000006
【図５】
0003121664.tif 000007
(57)【要約】      （修正有）【課題】本考案は、ズボンの一部を焦がし、焦げ目の付いたズボンの提供。【解決手段】本考案は、ズボンの裾や膝や太ももの部分に、高温のプレートをあて、それらの部分を燃やし焦がすことで、はさみで穴を作る場合やペイントをズボンに飛ばす場合のような、遊びをズボンに加えることができる。【選択図】なし【実用新案登録請求の範囲】
【請求項１】
本考案は、ズボンの裾や膝、太もも等の部分に集中的に高温のプレートをあてることで、それらの部分を焦がし、焦げ目や焦げ目の入った穴をアクセントとして加えたズボン。
【考案の詳細な説明】
【技術分野】
【０００１】本考案は、ズボンの裾や膝や太もも等の部分に高温のプレートを当てることで、布の一部を燃やし、焦げ目を付ける又は焦げ目の付いた穴を設けることで、まるで火の中から出てきたような雰囲気をかもし出したズボンで、プレートの形によって焦げの形を変える事ができる。
【背景技術】
【０００２】従来、ジーンズ等において、着古したユーズド感を演出する方法として、はさみ等で膝などに穴を開ける、ペイントをズボン表面に飛ばす等の方法がある。
【考案の開示】
【考案が解決しようとする課題】
【０００３】近年、穴やペイントを付ける等の加工を施し、アクティブに動き回った際のカジュアル感
を持ったズボンや、戦争の際に軍人がはいているようなズボンが若者の間で流行っているが、常に新しいものを追求するファッション業界において、飽きられてきている。【０００４】本考案は、それらを解決しようとするものである。本考案は、ズボンの一部を燃やし焦がすことで、茶色く色を付けるだけでなく、まるで火の中から出てきたような雰囲気を加え、レスキュー隊やスタントマンのような男らしさを演出でき、より激しくインパクトのあるズボンである。【０００５】加えて、ハンダコテのような先のとがったペンの形の金属を用いて、ペンキでズボンにペイントするような模様に、焦げ目をつけることによって、ペイントに比べ、よりリアルな重厚感のある古めかしいズボンを表現することが可能である。
【課題を解決するための手段】
【０００６】本考案は、ズボンの裾や膝や太もも等の部分に高温のプレートをあて、それらの部分に焦げ目を入れたもので、通常のズボンにユーズド感をプラスしたズボンである。又、焦がすことであけた穴や焦がした裾は糸がほつれないので、はさみで傷を入れたときに比べ使用によって穴が広がって行くリスクが低い。
【考案の効果】
【０００７】ズボンに焦げ目を入れることで、まるで火の中を駆け巡ったようなアクティブ感を通常のズボンにプラスさせたズボンである。加えて、焼く事であけた穴は糸もほつれず、あて布の周りに焦げ目が付いているので、あて布とズボンの境界線が、より目立つ効果がある。
【考案を実施するための最良の形態】
【０００８】本考案は、高温のプレートを押し当てることで、裾や膝や太もも部分を燃やし、焦げ目をつけており、文字や模様の形に焦げ目をつける場合は、それらの形をした高温のプレートを押し付け、表面を焦がす、又はハンダコテのようなもので、表面に焦げ目を焦がす、穴を開ける場合は、長く高温のプレートをあて、穴が丁度いい大きさまで広がったところで、水をつけ火を消すという方法で焦げ目を形成されており、回りが焦げているので、はさみで切る場合と違い糸がほつれたりすることがないよう構成された形態である。
【実施例】
【０００９】以下、本考案の実施例を図面に基づいて説明する。図１から図２はお尻部分に文字をいれ、裾を焦がし、焦がすことで開けた穴を太ももに入れたズボンの全体図で、図３から図５は各部位を別々に表示したものである。【００１０】図３は、太ももの部分に高温のプレートを長めにあて焦がし、内側にあて布（３）をし、縫い付けたもので、はさみ等の刃物で穴を開けた場合と違い、穴の周りに焦げ目（２）が付いているので境界線がはっきりしており、燃やしているので糸が出てくることもないという利点もある。【００１１】図４は、ズボンのお尻の部分に、文字の入った高温のプレートをあて、ズボン表面に焦げ目（５）を入れ形成している。【００１２】図５は、ズボンの裾の部分に高温をあて焦がし形成する。また。はさみで切った場合と違い、焦がすことにより、余分な糸は燃えてしまうので、糸の始末はしなくてよい。【００１３】このように、ズボンの一部を焦がすことは、組み合わせを変えることで、様々なズボンを形成することが可能である。
【産業上の利用可能性】
【００１４】本考案は、通常のズボンを焦がすという、単純なつくりなので、ユーザーへの負担も少なく安価に提供でき、飽きてはかなくなったズボン、誤って焦げ目の付いたズボン、汚れの付いたズボン等のリメイクの方法としても利用できる。
【図面の簡単な説明】
【００１５】
【図１】焦げ目の入ったズボンの前部から見た全体図
【図２】焦げ目の入ったズボンの後部から見た全体図
【図３】焦がし穴を開けた部分の図
【図４】表面を焦がし文字を焼き印した部分の図
【図５】裾を焦がした部分の図
【符号の説明】
【００１６】（１）ズボン本体
（２）穴を開けた際の焦げ目
（３）穴にあてられた布
（４）布とズボンを縫いつけている糸
（５）文字の形の焦げ目
（６）裾を燃やした際の焦げ目
【図１】
0003121661.tif 000002
【図２】
0003121661.tif 000003
【図３】
0003121661.tif 000004
【図４】
0003121661.tif 000005
【図５】
0003121661.tif 000006
(57)【要約】      （修正有）【課題】従来、上部開口を口環によって開放上に維持するようにした大型の自立型収納袋しては、円筒形状の自立型収納袋は公知であり、また、円筒形状の本体に蓋体を取付けたクーラバックや食品保温断熱容器も知られているが、一方で、アウトドアにおいては、簡易な容器を携帯して運び、また飲料水の冷却や内部の洗浄が簡易にできる容器の開発が望まれると共に、蓋体自体の有効利用が望まれていた。本考案は、軽量で携帯が可能な自立容器が製造できることを見いだして、脱着可能な蓋体を座布団代わりとして用いるクーラー兼用携帯容器を提供するものである。【解決手段】撥水機能を施した樹脂材と冷却効果を高めるアルミ箔とを併せて縫製する。【選択図】図１
0003121666.tif 000002
【実用新案登録請求の範囲】
【請求項１】
自立型容器において、内面にアルミ箔材、外面に樹脂材を重ねた素材を縫製してなるクーラー兼用携帯容器。
【請求項２】
前記樹脂材には、撥水機能を付加してあることを特徴とする請求項１記載のクーラー兼用携帯容器。
【請求項３】
前記容器には、上部左右に輪環状把手が設けられていることを特徴とする請求項１記載のクーラー兼用携帯容器。
【請求項４】
前記容器には、蓋体を脱着可能にファスナーで取付けてあり、該蓋体は、単独で座布団として使用可能であることを特徴とする請求項１記載のクーラー兼用携帯容器。
【考案の詳細な説明】
【技術分野】
【０００１】
本考案は、クーラー兼用携帯容器に関し、更に詳しくは、内部に用いたアルミ箔の作用で冷却効果を高め、また、脱着可能な蓋体を座布団代わりとして用いることが可能な多用途な携帯容器である。
【背景技術】
【０００２】
従来、上部開口を口環によって開放上に維持するようにした大型の自立型収納袋しては、実開平７−３３８９５号「自立型籾収納袋の保管袋」に開示されるように、円筒形状の自立型収納袋は公知である。
【０００３】
また円筒形状の本体に蓋体を取付けたクーラバックや食品保温断熱容器も公知である（意匠第１０１２７６５号、意匠第８６３９０６号）。
【特許文献１】実開平７−３３８９５号公報
【特許文献２】意匠第１０１２７６５号公報
【特許文献３】意匠第８６３９０６号公報
【考案の開示】
【考案が解決しようとする課題】
【０００４】
上記のクーラバックや食品保温断熱容器は、クーラ機能を高める為にステンレス材やアルミニウム材のような金属素材を用いているために頑丈であるが、一方でコスト高となる欠点があった。
【０００５】
近年、アウトドアにおいては、簡易な容器を携帯して運び、また飲料水の冷却や内部の洗浄が簡易にできる容器の開発が望まれる一方で、蓋体自体の有効利用が望まれていた。
【課題を解決するための手段】
【０００６】
本考案者は、係る課題を解決するために鋭意研究したところ、撥水機能を施した樹脂材と冷却効果を高めるアルミ箔とを併せて縫製することにより、軽量で携帯が可能な自立容器が製造できることを見いだし、本考案のクーラー兼用携帯容器を提供できた。
【０００７】
すなわち本考案の第一は、自立型容器において、内面にアルミ箔材、外面に樹脂材を重ねた素材を縫製してなるクーラー兼用携帯容器である。
【０００８】
本考案の第二は、前記樹脂材には、撥水機能を付加してあることを特徴とする請求項１記載のクーラー兼用携帯容器である。
【０００９】
本考案の第三は、前記容器には、上部左右に輪環状把手が設けられていることを特徴とする請求項１記載のクーラー兼用携帯容器である。
【００１０】
本考案の第四は、前記容器には、蓋体を脱着可能にファスナーで取付けてあり、該蓋体は、単独で座布団として使用可能であることを特徴とする請求項１記載のクーラー兼用携帯容器である。
【考案の効果】
【００１１】
本考案のクーラー兼用携帯容器は、素材として撥水機能を付与した樹脂材とアルミ箔とを併せて縫着させているために、製造原価として安価であり、また従来のように金属材を本体内部に用いないために軽量で容易に携帯可能となっている。
【００１２】
また蓋体は、ファスナーで脱着可能となっているために取り外した時には、座布団代わりに使用でき、又、使用後の洗浄も容易にできるために使いやすさを併せ持っている。
【考案を実施するための最良の形態】
【００１３】
以下、図面を参照に本考案のクーラー兼用携帯容器を説明するが、本考案の範囲はこれらに限定されない。
【実施例１】
【００１４】
図１は、本考案のクーラー兼用携帯容器の全体を示す斜視図である。該容器は、一例として外径２８ｃｍ、高さ３０ｃｍの円形形状の本体部１と約２７ｃｍの外径を有する蓋体２と２本の把手３とから構成され、蓋体２と本体１とはファスナー５で脱着可能に取付けられている。
【００１５】
この場合、ファスナー取付部６は、本体１の上部開放口７の上縁部を被覆するように撥水機能を付与したポリエチレン樹脂材８で被覆して、上端部から約２．５ｃｍ位の位置でファスナー（図示せず）の一端部を本体の裏面（内面）を構成するアルミ箔９と併せて縫着固定した。
【００１６】
本体底部４は、予め別途準備した撥水機能を付与したポリエチレン樹脂材８とアルミ箔９を円形形状に裁断したもの重ねて用い、同様に、別途縦長に逢着した本体部２の端部と前記底部４との側端部を重ね併せて逢着することで、底部付きの容器と成した。
【００１７】
図２（ａ）、（ｂ）は、蓋体の平面図とその断面図を示している。予め、同一形状に裁断された樹脂材８とアルミ箔９とを重ね、これらの端部に先端部にファスナーの歯が縦状に来るように略中央部に逢着し、アルミ箔が内面になるようにした。
【００１８】
この蓋体２は、本体部の上部に別途取付けられたファスナー取付部６のファスナー基部（図示せず）にファスナー先端部１０を差し込み、ファスナー基部をファスナーの歯に沿って移動させると一回転してファスナー止め部１１で止まり、蓋体２が本体部に装着する構造となっており、装着時には、蓋体２は前記ファスナー取付部６の下方に位置している。
【００１９】
本実施例において、撥水機能付き樹脂剤として目の細かなポリエチレン樹脂剤を用いて
いるが、この他、撥水剤が付着できる樹脂剤であればポリエチレン樹脂剤と同様に用いることができることを確認している。
【図面の簡単な説明】
【００２０】
【図１】本考案のクーラー兼用携帯容器の全体を示す斜視図である。
【図２ａ】図１における蓋体の平面図である。
【図２ｂ】図２の断面図である。
【符号の説明】
【００２１】
１・・・本体部
２・・・蓋体
３・・・把手
４・・・底部
５・・・ファスナー
６・・・ファスナー取付部
７・・・上部開放口
８・・・樹脂材
９・・・アルミ箔
１０・・ファスナー先端部
１１・・ファスナー止め部
【図１】
0003121666.tif 000003
【図２ａ】
0003121666.tif 000004
【図２ｂ】
0003121666.tif 000005
(57)【要約】      （修正有）【課題】緊急時でも確実で迅速な防犯ブザーの作動が出来る靴の提供。【解決手段】子供が歩き出した時、左右交互に加重がかかり、加重センサー１により感知される。この信号がコントロールユニット２に入る、この信号をコントロールユニット２は、赤外線通信装置３、赤外線通信ポート４を使って交信し左右靴で互いに共有する。そして、あらかじめ設定している時間以上両方の足から加重が感知できない時は、ただちに警報ブザー５に指令を送り大音量でブザーを鳴らす。【選択図】図１
0003121616.tif 000002
【実用新案登録請求の範囲】
【請求項１】
靴の左右両方に、加重センサーなどの加重感知装置を付け、感知された信号は赤外線通信などの手段で、他方の靴に送られ、左右両方、又は片方の靴に設置したコントロールユニットが常に左右靴の加重感知信号を管理し、このコントロールユニットは、靴の左右両方から一定時間、加重信号が来ない状態のとき、大音量の警報ブザーを作動させるようにした子供用防犯靴
【考案の詳細な説明】
【技術分野】
【０００１】本考案は、子供を誘拐などの犯罪から守るために、靴と一体になった自動防犯ブザーに関するものである
【背景技術】
【０００２】  従来の子供用防犯ブザーは、緊急の際に自分で引っ張るなどして鳴らすことが必要であった
【考案の開示】
【考案が解決しようとする課題】
【０００３】従来の防犯ブザーは、緊急時に自分で操作する必要があり、子供を狙った誘拐、連れ去りなどの際に緊迫した状況で幼い子供が冷静にブザーを鳴らす動作をすることは、極めて困難であり又、自動車を使った連れ去りなどの場合、体重の軽い子供は、一瞬の間に車内に押し込まれる危険性がある。そのような状況では、もはやブザーを手にとる暇は到底い。本考案は、緊急時でも確実で迅速な防犯ブザーの作動が出来る靴である
【課題を解決するための手段】
【０００４】本考案では、子供用靴の両方に防犯ブザー、加重センサー、コントロールユニット、赤外線通信装置をつけることによって子供の歩行状態、停止状態、走行状態を判断する。そして、これ以外の状態、つまり子供の両足が２秒以上着地しない状況を非常事態とみなして防犯ブザーを作動させることによって周囲の人に子供の緊急事態を知らせるものである
【考案の効果】
【０００５】上記の考案により、誘拐犯などが子供に接近し自動車に乗せようと子供を持ち上げた瞬間に防犯ブザーが大音量で鳴り響き周囲の人に子供の危険を知らせる物で、本人の意思とは関係なく作動し、又、異常をいち早く感知するので、犯人にとっては、防犯ブザーが鳴ることなく子供を自動車などに連れ込むことはほとんど不可能である。子供を持ち上げた瞬間にブザーが鳴るのだから、子供の同意なしに建物などにも連れ込むことが出来ないのは、言うまでもない。
【考案を実施するための最良の形態】
【０００６】子供用靴の左右両方に、加重センサー、赤外線通信装置、警報ブザー、コントロールユニット、などの装置を付け両足の加重を感知する、そして、コントロールユニットは、赤外線通信装置を通して左右相互に通信し両方の足から一定時間以上加重が感知できない時は異常事態とみなし警報ブザーを作動させて周囲に危険を知らせる
【実施例】
【０００７】以下、添付図面に従って実施例を説明する。まず、本考案の子供用防犯靴には、加重センサー１、コントロールユニット２、赤外線通信装置３、赤外線通信ポート４、警報ブザー５、が付いている。【０００８】    本考案を装着した、子供が歩き出した時、左右交互に加重がかかり、加重センサー１により感知される。この信号がコントロールユニット２に入る、この信号をコントロールユニット２は、赤外線通信装置３、赤外線通信ポート４を使って交信し左右靴で互いに共有する。そして、あらかじめ設定している時間以上両方の足から加重が感知できない時は、ただちに警報ブザー５に指令を送り大音量でブザーを鳴らす。【０００９】    そして、今、本考案を装着した幼い子供を不審者が連れ去ろうと近寄り持ち上げた瞬間、コントロールユニット２は、どちらの足からも一定時間加重が感知できなくなり、大音量で警報ブザー５を鳴らして周囲に危険を知らせる。【００１０】  どちらの足からも加重が感知できなくなりコントロールユニット２が異常を判断するまでの時間は、あまり長くては当考案のメリットの一つである迅速性が失われるので、２秒程が望ましい、又子供がジャンプしても、２秒は空中にとどまっていないからである。又、道草をしてどこかに腰掛けて足をブランブランさせても作動してしまうが、最近の社会状況からして、日本も子供にとって安全な国ではなく、本考案を装着する前に親が道草をしないように言い渡しておく必要がある。【００１１】  本考案の電源は、薄型電池などをコントロールユニット２に内臓すればよい、そして、電源のＯＮ、ＯＦＦは、専用リモコンなどで赤外線ポート４を利用して行う手段がある。
【図面の簡単な説明】
【００１２】
【図１】  本考案の子供用防犯靴の真横から見た断面図である
【図２】  本考案の子供用防犯靴の電子装置の接続イメージである
【符号の説明】
【００１３】１  加重センサー
２  コントロールユニット
３  赤外線通信装置
４  赤外線通信ポート
５  警報ブザー
６  靴
７  左側靴のイメージ
８  右側靴のイメージ
【図１】
0003121616.tif 000003
【図２】
0003121616.tif 000004